(57)【要約】【課題】気密性を確保し、隙間を隠して美観を維持する幅木コーナーカバーあるいは幅木構造体を提供する。【解決手段】幅木コーナーカバー１は、一対の幅木３０をそれぞれ覆う２つの垂直板状部１０ｖを一体に交差させた本体部１０と、本体部１０の下端１１を挟んで垂直方向ＤＶに滑動する滑動部２０と、を備える。滑動部２０は、下端１１から離れて床面３７に当てられる底部２２と、本体部１０の外側面１３に沿って裾状に位置して底部２２に繋がる外裾部２４と、本体部１０の内側面１５に沿って裾状に位置して底部２２に繋がる内裾部２６とを有し、外裾部２４および内裾部２６は、本体部１０が幅木３０に取り付けられ、滑動部２０が床面３７に押し当てられた状態で本体部１０を挟む。【選択図】図１
2019015146.tif 000002
【特許請求の範囲】
【請求項１】
コーナーを有する壁と床面との取り合い部に設けられて前記コーナーで互いに隣り合う一対の幅木を両方にわたって覆う幅木コーナーカバーであって、
一対の前記幅木をそれぞれ覆う２つの垂直板状部を一体に交差させた本体部と、前記本体部の下端を挟んで垂直方向に滑動する滑動部と、を備え、
前記滑動部は、前記下端から離れて前記床面に当てられる底部と、前記本体部の外側面に沿って裾状に位置して前記底部に繋がる外裾部と、前記本体部の内側面に沿って裾状に位置して前記底部に繋がる内裾部とを有し、
前記外裾部および前記内裾部は、前記本体部が前記幅木に取り付けられ、前記滑動部が前記床面に押し当てられた状態で前記本体部を挟む
ことを特徴とする幅木コーナーカバー。
【請求項２】
請求項１に記載の幅木コーナーカバーであって、
前記滑動部は、前記底部、前記外裾部、および前記内裾部を一体とした合成樹脂成形物である
ことを特徴とする幅木コーナーカバー。
【請求項３】
請求項１または請求項２に記載の幅木コーナーカバーであって、
前記外裾部は、水平方向での両端の位置が前記外側面と同じであり、前記内裾部は、水平方向での両端の位置が前記外裾部より内側に寄っている
ことを特徴とする幅木コーナーカバー。
【請求項４】
請求項１から請求項３までのいずれか一つに記載の幅木コーナーカバーであって、
前記外裾部および前記内裾部は、それぞれの上端の高さが等しい
ことを特徴とする幅木コーナーカバー。
【請求項５】
請求項１から請求項４までのいずれか一つに記載の幅木コーナーカバーであって、
前記内裾部は、前記底部から先端にかけて垂直方向に対して前記本体部の側に傾いた傾斜面を有する
ことを特徴とする幅木コーナーカバー。
【請求項６】
請求項１から請求項４までのいずれか一つに記載の幅木コーナーカバーであって、
前記内裾部は、前記本体部に向き合う側に垂直方向に位置する複数の垂直リブを有する
ことを特徴とする幅木コーナーカバー。
【請求項７】
コーナーを有する壁と床面との取り合い部に設けられて前記コーナーで互いに隣り合う一対の幅木と、一対の前記幅木を両方にわたって覆う幅木コーナーカバーとを備える幅木構造体であって、
前記幅木は、床面に当たる気密用弾性体を備え、前記幅木コーナーカバーは、請求項１から請求項６までのいずれか一つに記載した幅木コーナーカバーであることを特徴とする幅木構造体。
【発明の詳細な説明】
【技術分野】
【０００１】
本発明は、コーナーを有する壁と床面との取り合い部に設けられてコーナーで互いに隣り合う一対の幅木を両方にわたって覆う幅木コーナーカバー、およびこのような幅木コーナーカバーを適用した幅木構造体に関する。
【背景技術】
【０００２】
壁と床面との間の取り合い部に幅木が配置されることがある。このような幅木は、美観あるいは気密性の向上に寄与する。壁にコーナーがある場合、幅木もコーナーでそれぞれの壁に対応して配置される。つまり、コーナーでは２つの壁にそれぞれ幅木が設けられ、一対の幅木が配置されるので幅木の間に境界が生じ、２つの幅木は、互いに隣り合う関係となる。
２つの幅木の境界は、美感あるいは気密性に影響を生じる。また、幅木の作用を更に向上させることが望まれる。このような観点から、コーナーに配置される幅木に関連して種々の提案がされている。
例えば幅木同士の突合せ部のクッション材と床面との間で隙間が生じないようにした技術が提案されている（例えば、特許文献１参照。）。また、巾木用コーナーパッドをテープなどの貼付手段を使わずに巾木に取り付ける技術が提案されている（例えば、特許文献２参照。）。更に、気密性を確保できる建築用気密部材および気密構造を提供する技術が開示されている（例えば、特許文献３参照。）
【先行技術文献】
【特許文献】
【０００３】
【特許文献１】特開２０１５−１４１７７号公報
【特許文献２】特開２０１６−１６０７４４号公報
【特許文献３】特開２００１−１９３２７３号公報
【発明の概要】
【発明が解決しようとする課題】
【０００４】
しかし、従来の技術は、部材が複雑であり現場での工程が複雑化するなど、例えば、次のような課題があった。
特許文献１の技術では、部材点数が増え、組み立て工程が複雑化する。特許文献２の技術では、幅木用コーナーパッドが開示されているが、床面に向けた気密用弾性体を有する幅木への適用に難しさがある。特許文献３の技術では、壁面との間に弾性シール材を配置した嵌合部材を床面に配置しているが作業の複雑さがある。
本発明はこのような状況に鑑みてなされたものである。すなわち、壁と床面との間での気密性を確保し、床面との間の隙間を隠して美観を維持する幅木コーナーカバーを提供することを目的とする。
また、本発明は、本発明に係る幅木コーナーカバーを適用して、幅木を有するコーナーでの隙間を隠して気密性および美感を保持できる幅木構造体を提供することを他の目的とする。
【課題を解決するための手段】
【０００５】
本発明に係る幅木コーナーカバーは、コーナーを有する壁と床面との取り合い部に設けられて前記コーナーで互いに隣り合う一対の幅木を両方にわたって覆う幅木コーナーカバーであって、一対の前記幅木をそれぞれ覆う２つの垂直板状部を一体に交差させた本体部と、前記本体部の下端を挟んで垂直方向に滑動する滑動部と、を備え、前記滑動部は、前記下端から離れて前記床面に当てられる底部と、前記本体部の外側面に沿って裾状に位置して前記底部に繋がる外裾部と、前記本体部の内側面に沿って裾状に位置して前記底部に繋がる内裾部とを有し、前記外裾部および前記内裾部は、前記本体部が前記幅木に取り付けられ、前記滑動部が前記床面に押し当てられた状態で前記本体部を挟むことを特徴とする。
したがって、本発明に係る幅木コーナーカバーは、本体部が幅木に取り付けられてコーナーを覆い、滑動部が床面に押し当てられたとき、外裾部および内裾部は本体部（垂直板状部）を挟んで本体部に固定される。このため、外裾部は、床面に押し当てられた状態を維持するので、幅木コーナーカバーと床面との間に現れていた隙間を外部の視線から隠して美感を確保しやすい。
また、幅木コーナーカバーは、床面に押し当てられた滑動部が、内側に位置する壁と外部との通気を遮断するので気密性を確保しやすい。
また、滑動部は、本体部に予め嵌め込みによって連結されるので、現場での作業は、垂直方向で単に滑動部を床面に押し当てるだけで良く、簡略化され作業性が向上する。
特に幅木が気密用弾性体を備え、幅木と床面との間での気密性を保持する場合、コーナーにおける本体部と床面との間の空間を滑動部によって遮蔽するので壁と床面の間での気密性を確保し、幅木コーナーカバーと床面との間の隙間を隠して美観を維持する効果は大きい。
【０００６】
また、本発明の一実施の形態に係る幅木コーナーカバーでは、前記滑動部は、前記底部、前記外裾部、および前記内裾部を一体とした合成樹脂成形物であることを特徴とする。
また、本発明の一実施の形態に係る幅木コーナーカバーでは、前記外裾部は、水平方向での両端の位置が前記外側面と同じであり、前記内裾部は、水平方向での両端の位置が前記外裾部より内側に寄っていることを特徴とする。
また、本発明の一実施の形態に係る幅木コーナーカバーでは、前記外裾部および前記内裾部は、それぞれの上端の高さが等しいことを特徴とする。
また、本発明の一実施の形態に係る幅木コーナーカバーでは、前記内裾部は、前記底部から先端にかけて垂直方向に対して前記本体部の側に傾いた傾斜面を有することを特徴とする。
また、本発明の一実施の形態に係る幅木コーナーカバーでは、前記内裾部は、前記本体部に向き合う側に垂直方向に位置する複数の垂直リブを有することを特徴とする。
【０００７】
また、本発明に係る幅木構造体は、コーナーを有する壁と床面との取り合い部に設けられて前記コーナーで互いに隣り合う一対の幅木と、一対の前記幅木を両方にわたって覆う幅木コーナーカバーとを備える幅木構造体であって、前記幅木は、床面に当たる気密用弾性体を備え、前記幅木コーナーカバーは、本発明に係る幅木コーナーカバーであることを特徴とする。
したがって、本発明に係る幅木構造体は、壁のコーナーで互いに隣り合う一対の幅木の間にできる空間を覆う幅木コーナーカバーを備え、幅木コーナーカバーは本発明に係る幅木コーナーカバーであるので、幅木を有するコーナーでの隙間を隠して気密性および美感を保持できる。また、本発明に係る幅木構造体は、設置時の作業性を向上できる。
【発明の効果】
【０００８】
本発明に係る幅木コーナーカバーは、壁と床面との間での気密性を確保し、床面との間の隙間を隠して美観を維持しやすいという効果を奏する。また、本発明に係る幅木コーナーカバーは、作業性を向上させて現場での作業を簡略化できる。
また、本発明に係る幅木構造体は、本発明に係る幅木コーナーカバーを適用して、幅木を有するコーナーでの隙間を隠して気密性および美感を保持しやすいという効果を奏する。また、本発明に係る幅木構造体は、設置時の作業性を向上できる。
【図面の簡単な説明】
【０００９】
【図１】本発明の実施の形態１に係る幅木コーナーカバーの本体部と、本体部の下端を挟んで垂直方向に滑動する滑動部と、を分解して外側面の斜め上方から見た状態で示す分解斜視図である。
【図２】図１に示した幅木コーナーカバーを、外側面の反対の内側面の斜め上方から見た状態で示す分解斜視図である。
【図３】図１に示した幅木コーナーカバーの滑動部と本体部とを相互に嵌め合わせて滑動部が本体部を挟んだ状態を外側面から見た状態で示す斜視図である。
【図４】図３に示した矢印ＳＦ４−ＳＦ４の方向における幅木コーナーカバーの端面状態を拡大して示す拡大端面図である。
【図５】互いに隣り合う一対の幅木が壁に取り付けられたときのコーナーを斜め上方から見た状態で示す斜視図である。
【図６】本発明の実施の形態２に係る幅木構造体および実施の形態１に係る幅木コーナーカバーの相関を斜め上方から見た状態で示す斜視図である。
【図７】図６に示した幅木コーナーカバーの滑動部を床面に押し当てたときの幅木構造体の状態を示す斜視図である。
【図８】本発明の実施の形態３に係る幅木コーナーカバーにおける滑動部（変形例１）について、内裾部が有する傾斜面の状態を拡大して示す拡大端面図である。
【図９】図８に示した滑動部が本体部を挟んだときの端面状態を示す拡大端面図である。
【図１０】本発明の実施の形態３に係る幅木コーナーカバーにおける滑動部（変形例２）について、内裾部が有する垂直リブの状態を拡大して示す拡大端面図である。
【図１１】図１０に示した滑動部の平面視状態を垂直方向から見て部分的に示す部分平面図である。
【発明を実施するための形態】
【００１０】
以下、本発明の実施の形態について図面（図１ないし図１１）を参照して説明する。
［実施の形態１：幅木コーナーカバー１］
図１ないし図５を参照して、実施の形態１に係る幅木コーナーカバー１について説明する。
図１は、本発明の実施の形態１に係る幅木コーナーカバー１の本体部１０と、本体部１０の下端１１を挟んで垂直方向ＤＶに滑動する滑動部２０と、を分解して外側面１３の斜め上方から見た状態で示す分解斜視図である。
図２は、図１に示した幅木コーナーカバー１を、外側面１３の反対の内側面１５の斜め上方から見た状態で示す分解斜視図である。
図３は、図１に示した幅木コーナーカバー１の滑動部２０と本体部１０とを相互に嵌め合わせて滑動部２０が本体部１０を挟んだ状態を外側面１３から見た状態で示す斜視図である。
図４は、図３に示した矢印ＳＦ４−ＳＦ４の方向における幅木コーナーカバー１の端面状態を拡大して示す拡大端面図である。
図５は、互いに隣り合う一対の幅木３０が壁３３に取り付けられたときのコーナー３５を斜め上方から見た状態で示す斜視図である。コーナー３５を有する壁３３と床面３７との取り合い部３９に設けられてコーナー３５で互いに隣り合う一対の幅木３０が示される。つまり、幅木コーナーカバー１を取り付ける直前の状態が示されている。
【００１１】
幅木コーナーカバー１は、コーナー３５を有する壁３３と床面３７との取り合い部３９に設けられてコーナー３５で互いに隣り合う一対の幅木３０を両方にわたって覆う（図５参照。覆った後の状態については、実施の形態２（図６、図７）参照）。
幅木コーナーカバー１は、一対の幅木３０をそれぞれ覆う２つの垂直板状部１０ｖを一体に交差させた本体部１０と、本体部１０の下端１１を挟んで垂直方向ＤＶに滑動する滑動部２０と、を備え、滑動部２０は、下端１１から離れて床面３７に当てられる底部２２と、本体部１０の外側面１３に沿って裾状に位置して底部２２に繋がる外裾部２４と、本体部１０の内側面１５に沿って裾状に位置して底部２２に繋がる内裾部２６とを有し、外裾部２４および内裾部２６は、本体部１０が幅木３０に取り付けられ、滑動部２０が床面３７に押し当てられた状態で本体部１０を挟む（図４参照）。
つまり、外裾部２４は垂直板状部１０ｖの外側面１３に向き合い、内裾部２６は垂直板状部１０ｖの内側面１５に向き合う。外裾部２４と内裾部２６との間隔は、垂直板状部１０ｖを挟持する寸法とされている。
【００１２】
２つの垂直板状部１０ｖの交差状態は、コーナー３５における壁３３の交差角度によって定まる。例えば、コーナー３５が外に向けて凸状であれは、本体部１０は、コーナー３５に向けて凹状となり、コーナー３５が外に向けて凹状であれば、本体部１０は、コーナー３５に向けて凸状となる。
コーナー３５における壁３３が相互に直交している場合、幅木３０は壁３３に沿って配置されるから、自己整合的に直交する。このような場合は、本体部１０は、２つの垂直板状部１０ｖが互いに直交し、水平方向ＤＨでの断面形状はＬ字型となる。
なお、本体部１０（垂直板状部１０ｖ）は、硬質の合成樹脂で成型された合成樹脂成形物であることが好ましい。
外側面１３は、幅木コーナーカバー１の外側で外部から視認される露出面であり、内側面１５は、幅木コーナーカバー１の内側で幅木３０に当接して向かい合う裏側面である。
【００１３】
幅木コーナーカバー１は、本体部１０が幅木３０に取り付けられてコーナー３５を覆い、滑動部２０が床面３７に押し当てられたとき、外裾部２４および内裾部２６は本体部１０（垂直板状部１０ｖ）を挟んで本体部１０に固定される。このため、外裾部２４は、床面３７に押し当てられた状態を維持するので、幅木コーナーカバー１と床面３７との間に現れていた隙間を外部の視線から隠して美感を確保しやすい（図４、図７参照）。
また、幅木コーナーカバー１は、床面３７に押し当てられた滑動部２０が、内側に位置する壁３３と外部との通気を遮断するので気密性を確保しやすい。
また、滑動部２０は、嵌め込み方向ＤＣで本体部１０に予め嵌め込まれて連結されるので、現場での作業は、垂直方向ＤＶで単に滑動部２０を床面３７に押し当てるだけで良く、幅木コーナーカバーは、作業性を向上させて現場での作業を簡略化できる。
特に幅木３０が気密用弾性体３２を備え、幅木３０と床面３７との間での気密性を保持する場合、コーナー３５における本体部１０と床面３７との間の空間を滑動部２０によって遮蔽するので壁３３と床面３７の間での気密性を確保し、幅木コーナーカバー１と床面３７との間の隙間を隠して美観を維持する効果は大きい。
【００１４】
幅木３０は、壁３３に向かい合う面に舌片用溝３１（図５）を長さ方向に備える。垂直板状部１０ｖ（本体部１０）の一方の内側面１５は、舌片１７を備える。舌片１７は、垂直板状部１０ｖおよび舌片用溝３１と平行に位置し、舌片用溝３１に沿って延長されている。すなわち、舌片１７および舌片用溝３１は、互いに嵌め込まれ、幅木３０に幅木コーナーカバー１が固定されるように設計されている。
つまり、内側面１５が有する舌片１７は、舌片用溝３１に嵌め込まれて位置決めされる。これにより、幅木コーナーカバー１は、幅木３０に固定され、コーナー３５において一対の幅木３０の両方にわたって位置する。なお、舌片１７は、２つの垂直板状部１０ｖのいずれか一方にあれば良い。
【００１５】
外裾部２４は、水平方向ＤＨでの両端の位置が外側面１３と同じであり、内裾部２６は、水平方向ＤＨでの両端の位置が外裾部２４より内側に寄っている。
したがって、外裾部２４は、水平方向ＤＨで両端の位置が外側面１３に揃うので、気密性と美感を向上させる。また、内裾部２６は、水平方向ＤＨで両端の位置が外裾部２４より内側に位置するので、本体部１０との嵌め込みが容易になりやすい。
つまり、外裾部２４において、内裾部２６に対して水平方向ＤＨで外側に位置する部分は、幅木３０に当接して気密性と美観を確保する。また、外裾部２４に対して水平方向ＤＨで内側に位置する内裾部２６は、幅木３０の木口部分を収容して気密性を確保しやすくする。
【００１６】
外裾部２４および内裾部２６は、それぞれの上端２４ｔおよび上端２６ｔの高さが等しいことが好ましい。
外裾部２４と内裾部２６はそれぞれの上端２４ｔおよび上端２６ｔが等しい高さであるので、外裾部２４と内裾部２６に対する本体部１０（垂直板状部１０ｖ）の嵌め込みが容易となる。また、滑動部２０（上端２４ｔ、上端２６ｔ）は、外側面１３および内側面１５を同じ高さ位置で挟むので、本体部１０と滑動部２０との連結強度を確保しやすい。垂直板状部１０ｖの下端１１は、外裾部２４および内裾部２６の間に収容された状態となる。つまり、下端１１は、外裾部２４、内裾部２６および底部２２によって包囲される。底部２２は、床面３７に押しつけられるので確実に気密性を確保しやすい。
垂直板状部１０ｖの内側面１５は、幅木３０の外側表面に沿う形状を有する。つまり、垂直板状部１０ｖは、垂直方向ＤＶにおける幅木３０の凹凸に沿った凹凸を有し、気密性および美観を維持する。
【００１７】
滑動部２０は、底部２２、外裾部２４、および内裾部２６を一体とした硬質の樹脂で成型された合成樹脂成形物であることが好ましい。滑動部２０は、底部２２、外裾部２４および内裾部２６の全体を一体として合成樹脂成形されているから、本体部１０に対する必要な形状と強度を容易に確保しやすい。つまり、滑動部２０は、本体部１０を精度良く嵌め込みやすく、また、生産性良く安価に提供される。更に、滑動部２０は、本体部１０を圧接して挟むという機能を高い信頼性で実現しやすい。
なお、合成樹脂は一定の形状を確保できる硬度を有することが好ましい。また、幅木３０とのデザイン、質感の統一性を確保することが好ましい。例えば、同等の材質を有する素材が適用されることが好ましい。
【００１８】
壁３３におけるコーナー３５は、凸状の角部あるいは凹状の隅部の形態で現れる。実施の形態１では、コーナー３５は、凸状の角部として示されるが、凹状の隅部に対しても幅木コーナーカバー１は同様に適用される。
なお、気密用弾性体３２は、例えば軟質の合成樹脂成形物であり、幅木３０が床面３７に向かう端部（下端面）に形成されている。
【００１９】
［実施の形態２：幅木構造体５］
図６および図７を参照して、実施の形態１の幅木コーナーカバー１を適用した実施の形態２に係る幅木構造体５について説明する。実施の形態１に係る幅木コーナーカバー１は、実施の形態２にそのまま適用されるので、実施の形態１と同一の符号を付して適宜説明を省略する。
図６は、本発明の実施の形態２に係る幅木構造体５および実施の形態１に係る幅木コーナーカバー１の相関を斜め上方から見た状態で示す斜視図である。
図７は、図６に示した幅木コーナーカバー１の滑動部２０を床面３７に押し当てたときの幅木構造体５の状態を示す斜視図である。つまり、コーナー３５において、内部が隠された状態が示される。
【００２０】
実施の形態２に係る幅木構造体５は、コーナー３５を有する壁３３と床面３７との取り合い部３９に設けられてコーナー３５で互いに隣り合う一対の幅木３０と、一対の幅木３０を両方にわたって覆う幅木コーナーカバー１とを備える。幅木構造体５において、幅木３０は、床面３７に当たる気密用弾性体３２を備え、幅木コーナーカバー１は、実施の形態１に記載した幅木コーナーカバー１である。
つまり、幅木構造体５は、壁３３のコーナー３５で互いに隣り合う一対の幅木３０の間にできる空間を覆う幅木コーナーカバー１を備える。幅木構造体５は、実施の形態１に係る幅木コーナーカバー１を備えるので、幅木３０を適用してできるコーナー３５での隙間を隠して美感および気密性を保持できる。また、幅木構造体５は、設置時の作業性を向上できる。
床面３７に対して、垂直方向ＤＶで幅木３０と幅木コーナーカバー１（本体部１０）との寸法（寸法精度）が異なっていても、滑動部２０の位置を調整して、滑動部２０（底部２２）を床面３７に当接できるので、幅木構造体５における気密性および美観を確保できる。つまり、幅木コーナーカバー１は、気密用弾性体３２の機能を損なうことなくコーナー３５において有効に作用する。
【００２１】
［実施の形態３：幅木コーナーカバー１の２つの変形例］
図８ないし図１１を参照して、実施の形態３に係る滑動部２０ｆ（滑動部２０の変形例１）および滑動部２０ｓ（滑動部２０の変形例２）について説明する。他の部分は実施の形態１、実施の形態２と同一であるので、同一符号を付して説明する。滑動部２０ｆ、または滑動部２０ｓを適用された実施の形態３に係る幅木コーナーカバー１は、幅木構造体５に対して実施の形態１に係る幅木コーナーカバー１と同様に作用するので、同一符号を適用する。
図８は、本発明の実施の形態３に係る幅木コーナーカバー１における滑動部２０ｆ（変形例１）について、内裾部２６が有する傾斜面２７の状態を拡大して示す拡大端面図である。なお、端面位置は、図３に示した矢印ＳＦ４−ＳＦ４で示される位置と同様である。
図９は、図８に示した滑動部２０ｆが本体部１０を挟んだときの端面状態を示す拡大端面図である。
【００２２】
滑動部２０ｆにおいて、内裾部２６は、底部２２から先端２６ｔにかけて垂直方向ＤＶに対して本体部１０（垂直板状部１０v）の側に傾いた傾斜面２７を有する。
内裾部２６は、傾斜面２７による板バネ作用によって本体部１０（垂直板状部１０ｖ）を外裾部２４の方へ圧着し、本体部１０を挟み持つ強度を高くするので、本体部１０と滑動部２０との間での位置精度および保持強度を上げて外形維持の安定性を向上し、更に作業性を確保しやすい。なお、傾斜面２７は、垂直板状部１０ｖの内側面１５に対向する側に位置する。
内裾部２６は、先端２６ｔの側が本体部１０（垂直板状部１０ｖ）に寄っていれば良い。垂直方向ＤＶでの内裾部２６の厚みは強度を確保するために底部２２から上端２６ｔにかけて同一であることが好ましい。
【００２３】
図１０は、本発明の実施の形態３に係る幅木コーナーカバー１における滑動部２０ｓ（変形例２）について、内裾部２６が有する垂直リブ２８の状態を拡大して示す拡大端面図である。なお、端面位置は、図３に示した矢印ＳＦ４−ＳＦ４で示される位置と同様である。
図１１は、図１０に示した滑動部２０ｓの平面視状態を垂直方向ＤＶから見て部分的に示す部分平面図である。
なお、滑動部２０ｓが本体部１０（下端１１）を挟んだ状態については変形例１の場合と同様であるので図示を省略する。
【００２４】
滑動部２０ｓにおいて、内裾部２６は、本体部１０（垂直板状部１０ｖ）に向き合う側に垂直方向ＤＶに位置する複数の垂直リブ２８を有する。
内裾部２６は、複数の垂直リブ２８の作用によって本体部１０（垂直板状部１０ｖ）を外裾部２４の方へ圧着し、本体部１０を挟み持つ強度を高くするので、本体部１０と滑動部２０との間での位置精度および保持強度を上げて外形維持の安定性を向上し、更に作業性を確保しやすい。
なお、垂直リブ２８は、例えば水平方向ＤＨでの断面が三角形である。三角形の底辺が内裾部２６に位置し、三角形の頂点が外裾部２４に向かう位置に突出して配置される。
【産業上の利用可能性】
【００２５】
本発明に係る幅木コーナーカバー、あるいは幅木構造体は、建築物の内装を構築するときに有効に利用できる。
【符号の説明】
【００２６】
１  幅木コーナーカバー
５  幅木構造体
１０  本体部
１０ｖ  垂直板状部
１１  下端
１３  外側面
１５  内側面
１７  舌片
２０  滑動部
２０ｆ  滑動部
２０ｓ  滑動部
２２  底部
２４  外裾部
２４ｔ  上端
２６  内裾部
２６ｔ  上端
２７  傾斜面
２８  垂直リブ
３０  幅木
３１  舌片用溝
３２  気密用弾性体
３３  壁
３５  コーナー
３７  床面
３９  取り合い部
ＤＣ  嵌め込み方向
ＤＨ  水平方向
ＤＶ  垂直方向
ＳＦ  矢印
【図１】
2019015146.tif 000003
【図２】
2019015146.tif 000004
【図３】
2019015146.tif 000005
【図４】
2019015146.tif 000006
【図５】
2019015146.tif 000007
【図６】
2019015146.tif 000008
【図７】
2019015146.tif 000009
【図８】
2019015146.tif 000010
【図９】
2019015146.tif 000011
【図１０】
2019015146.tif 000012
【図１１】
2019015146.tif 000013
【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
コーナーを有する壁と床面との取り合い部に設けられて前記コーナーで互いに隣り合う一対の幅木を両方にわたって覆う幅木コーナーカバーであって、
一対の前記幅木をそれぞれ覆う２つの垂直板状部を一体に交差させた本体部と、前記本体部の下端を挟んで垂直方向に滑動する滑動部と、を備え、
前記滑動部は、前記下端から離れて前記床面に当てられる底部と、前記本体部の外側面に沿って裾状に位置して前記底部に繋がる外裾部と、前記本体部の内側面に沿って裾状に位置して前記底部に繋がる内裾部とを有し、
前記外裾部および前記内裾部は、前記本体部が前記幅木に取り付けられ、前記滑動部が前記床面に押し当てられた状態で前記本体部を挟み、
前記外裾部は、水平方向での両端の位置が前記外側面と同じであり、前記内裾部は、水平方向での両端の位置が前記外裾部より内側に寄っている
ことを特徴とする幅木コーナーカバー。
【請求項２】
請求項１に記載の幅木コーナーカバーであって、
前記滑動部は、前記底部、前記外裾部、および前記内裾部を一体とした合成樹脂成形物である
ことを特徴とする幅木コーナーカバー。
【請求項３】
請求項１または請求項２に記載の幅木コーナーカバーであって、
前記外裾部および前記内裾部は、それぞれの上端の高さが等しい
ことを特徴とする幅木コーナーカバー。
【請求項４】
請求項１から請求項３までのいずれか一つに記載の幅木コーナーカバーであって、
前記内裾部は、前記底部から先端にかけて垂直方向に対して前記本体部の側に傾いた傾斜面を有する
ことを特徴とする幅木コーナーカバー。
【請求項５】
請求項１から請求項３までのいずれか一つに記載の幅木コーナーカバーであって、
前記内裾部は、前記本体部に向き合う側に垂直方向に位置する複数の垂直リブを有する
ことを特徴とする幅木コーナーカバー。
【請求項６】
コーナーを有する壁と床面との取り合い部に設けられて前記コーナーで互いに隣り合う一対の幅木と、一対の前記幅木を両方にわたって覆う幅木コーナーカバーとを備える幅木構造体であって、
前記幅木は、床面に当たる気密用弾性体を備え、前記幅木コーナーカバーは、請求項１から請求項５までのいずれか一つに記載した幅木コーナーカバーであることを特徴とする幅木構造体。
【手続補正２】
【補正対象書類名】明細書
【補正対象項目名】０００５
【補正方法】変更
【補正の内容】
【０００５】
本発明に係る幅木コーナーカバーは、コーナーを有する壁と床面との取り合い部に設けられて前記コーナーで互いに隣り合う一対の幅木を両方にわたって覆う幅木コーナーカバーであって、一対の前記幅木をそれぞれ覆う２つの垂直板状部を一体に交差させた本体部と、前記本体部の下端を挟んで垂直方向に滑動する滑動部と、を備え、前記滑動部は、前記下端から離れて前記床面に当てられる底部と、前記本体部の外側面に沿って裾状に位置して前記底部に繋がる外裾部と、前記本体部の内側面に沿って裾状に位置して前記底部に繋がる内裾部とを有し、前記外裾部および前記内裾部は、前記本体部が前記幅木に取り付けられ、前記滑動部が前記床面に押し当てられた状態で前記本体部を挟み、前記外裾部は、水平方向での両端の位置が前記外側面と同じであり、前記内裾部は、水平方向での両端の位置が前記外裾部より内側に寄っていることを特徴とする。
したがって、本発明に係る幅木コーナーカバーは、本体部が幅木に取り付けられてコーナーを覆い、滑動部が床面に押し当てられたとき、外裾部および内裾部は本体部（垂直板状部）を挟んで本体部に固定される。このため、外裾部は、床面に押し当てられた状態を維持するので、幅木コーナーカバーと床面との間に現れていた隙間を外部の視線から隠して美感を確保しやすい。
また、幅木コーナーカバーは、床面に押し当てられた滑動部が、内側に位置する壁と外部との通気を遮断するので気密性を確保しやすい。
また、滑動部は、本体部に予め嵌め込みによって連結されるので、現場での作業は、垂直方向で単に滑動部を床面に押し当てるだけで良く、簡略化され作業性が向上する。
特に幅木が気密用弾性体を備え、幅木と床面との間での気密性を保持する場合、コーナーにおける本体部と床面との間の空間を滑動部によって遮蔽するので壁と床面の間での気密性を確保し、幅木コーナーカバーと床面との間の隙間を隠して美観を維持する効果は大きい。
【手続補正３】
【補正対象書類名】明細書
【補正対象項目名】０００６
【補正方法】変更
【補正の内容】
【０００６】
また、本発明の一実施の形態に係る幅木コーナーカバーでは、前記滑動部は、前記底部、前記外裾部、および前記内裾部を一体とした合成樹脂成形物であることを特徴とする。
また、本発明の一実施の形態に係る幅木コーナーカバーでは、前記外裾部および前記内裾部は、それぞれの上端の高さが等しいことを特徴とする。
また、本発明の一実施の形態に係る幅木コーナーカバーでは、前記内裾部は、前記底部から先端にかけて垂直方向に対して前記本体部の側に傾いた傾斜面を有することを特徴とする。
また、本発明の一実施の形態に係る幅木コーナーカバーでは、前記内裾部は、前記本体部に向き合う側に垂直方向に位置する複数の垂直リブを有することを特徴とする。